(57)【要約】【課題】  機能の切り替えを行わなくとも、１つの操作部で複数の操作を行えるようにすることで操作性を高める。【解決手段】  この再生装置には、各種指示が入力される操作部と、操作部からの指示信号に基づいて、再生データの再生状態を制御する制御部とが備えられている。操作部は、複数の指示にそれぞれ対応するように複数の範囲が設定されていて、当該設定部が覆われると設定部に対応付けられた指示に基づく前記指示信号を出力する光学式検出部である。各種指示には、再生データの再生状態を切り替える再生指示、再生速度変更指示指示、逆再生速度変更指示が含まれている。【選択図】図２
2007080413.tif 000002
【特許請求の範囲】
【請求項１】
各種指示が入力される操作部と、
前記操作部からの指示信号に基づいて、再生データの再生状態を制御する制御部とを備え、
前記操作部は、複数の指示にそれぞれ対応するように複数の範囲が設定されていて、当該設定部が覆われると前記設定部に対応付けられた指示に基づく前記指示信号を出力する光学式検出部であり、
前記各種指示には、前記再生データの再生状態を切り替える再生指示、再生速度変更指示指示、逆再生速度変更指示が含まれていることを特徴とする再生装置。
【請求項２】
請求項１記載の再生装置において、
前記各種指示には、次の前記再生データにスキップするためのスキップアップ指示、前の前記再生データにスキップするためのスキップダウン指示が含まれていることを特徴とする再生装置。
【請求項３】
請求項１又は２記載の再生装置において、
前記各種指示には、前記再生データをグループ毎に送るグループ送り指示、前記再生データをクループ毎に戻すグループ戻し指示が含まれていることを特徴とする再生装置。
【請求項４】
各種指示が入力される光学式検出部からなる操作部からの指示信号に基づいて、再生データの再生状態を制御する際に、
前記操作部が、複数の指示にそれぞれ対応するように複数の範囲が設定されていて、当該設定部が覆われると前記設定部に対応付けられた指示に基づく前記指示信号を出力し、
前記各種指示には、前記再生データの再生状態を切り替える再生指示、再生速度変更指示、逆再生速度変更指示が含まれていることを特徴とする再生方法。
【請求項５】
請求項４記載の再生方法において、
前記各種指示には、次の前記再生データにスキップするためのスキップアップ指示、前の前記再生データにスキップするためのスキップダウン指示が含まれていることを特徴とする再生方法。
【請求項６】
請求項４又は５記載の再生方法において、
前記各種指示には、前記再生データをグループ毎に送るグループ送り指示、前記再生データをクループ毎に戻すグループ戻し指示が含まれていることを特徴とする再生方法。
【発明の詳細な説明】
【技術分野】
【０００１】
本発明は、再生装置及び再生方法に関する。
【背景技術】
【０００２】
近年、携帯式の再生装置においては、１つの操作キーに対して「早送り」と「スキップアップ（曲送り）」の機能や「早戻し」と「スキップダウン(曲戻し）」の機能を割り当てて各機能を兼用することで、操作キーの設置個数を低減して小型化し、携帯性を高めるようになっている（例えば、特許文献１、２参照）。特許文献１には、押圧及びスライドによって複数の機能が行える操作釦が記載されている。また、特許文献２には、アナログボリュームスイッチの操作つまみをスライドさせることによって変化する出力ボリューム値に対して、複数の機能を割り当てることが記載されている。
【０００３】
ここで、特許文献１の操作釦であると、押圧とスライドとを組み合わせて操作しなければならず、必ずしも操作性の高いものではなかった。また、特許文献２のアナログボリュームスイッチであると、操作つまみを回転させる必要があるために、押下式のものと比べて操作性が悪かった。
【０００４】
近年では、操作性をより高くするために、１つの押下式の操作キーを押下した際の時間の異なりにより、その押下時間毎に各機能を割り当てることで、１つの操作キーに複数の機能を兼用させる方式（第１方式）や、別に設けられた機能切替用の切替キーが操作されると、各操作キーの機能が切り替わる方式（第２方式）などが開発されている。
【特許文献１】特開平５−６７４１２号公報
【特許文献２】特開平７−１４７０５５号公報
【発明の開示】
【発明が解決しようとする課題】
【０００５】
ここで、第１方式であると操作キーを押下した時間によりその機能が切り替わるので、その都度所定時間待たなければならなかった。一方、第２方式であると機能を切り替える際に予め切替キーを操作して、その後操作キーを操作する必要があるので、操作手順が煩雑になってしまっていた。
【０００６】
本発明の課題は、機能の切り替えを行わなくとも、１つの操作キーで複数の操作を行えるようにすることで操作性を高めることである。
【課題を解決するための手段】
【０００７】
請求項１記載の発明における再生装置は、
各種指示が入力される操作部と、
前記操作部からの指示信号に基づいて、再生データの再生状態を制御する制御部とを備え、
前記操作部は、複数の指示にそれぞれ対応するように複数の範囲が設定されていて、当該設定部が覆われると当該設定部に対応付けられた指示に基づく前記指示信号を出力する光学式検出部であり、
前記各種指示には、前記再生データの再生状態を切り替える再生指示、再生速度変更指示指示、逆再生速度変更指示指示が含まれていることを特徴としている。
【０００８】
請求項２記載の発明は、請求項１記載の再生装置において、
前記各種指示には、次の前記再生データにスキップするためのスキップアップ指示、前の前記再生データにスキップするためのスキップダウン指示が含まれていることを特徴としている。
【０００９】
請求項３記載の発明は、請求項１又は２記載の再生装置において、
前記各種指示には、前記再生データをグループ毎に送るグループ送り指示、前記再生データをクループ毎に戻すグループ戻し指示が含まれていることを特徴としている。
【００１０】
請求項４記載の発明における再生方法は、
各種指示が入力される光学式検出部からなる操作部からの指示信号に基づいて、再生データの再生状態を制御する際に、
前記操作部が、複数の指示にそれぞれ対応するように複数の範囲が設定されていて、当該設定部が覆われると当該設定部に対応付けられた指示に基づく前記指示信号を出力し、
前記各種指示には、前記再生データの再生状態を切り替える再生指示、再生速度変更指示、逆再生速度変更指示が含まれていることを特徴としている。
【００１１】
請求項５記載の発明は、請求項４記載の再生方法において、
前記各種指示には、次の前記再生データにスキップするためのスキップアップ指示、前の前記再生データにスキップするためのスキップダウン指示が含まれていることを特徴としている。
【００１２】
請求項６記載の発明は、請求項４又は５記載の再生方法において、
前記各種指示には、前記再生データをグループ毎に送るグループ送り指示、前記再生データをクループ毎に戻すグループ戻し指示が含まれていることを特徴としている。
【発明の効果】
【００１３】
本発明によれば、操作部が、複数の指示にそれぞれ対応するように複数の範囲が設定されていて、当該設定部が覆われると当該設定部に対応付けられた指示に基づく前記指示信号を出力するので、各設定部を覆うことで各指示を直接出力することができる。これにより、機能の切り替えを行わなくとも１つの操作部で複数の操作を行うことが可能となって、操作性を高めることができる。
【００１４】
また、例えば静電式の操作部であると、その表面を覆ってしまえば操作が行えなくなるために、操作部の表面を露出させたままでなければいけない。このため、携帯時に操作部の表面が傷つくおそれがある。しかしながら、上記したように本発明によれば、操作部が光学式検出部であるとその表面を覆えば操作を行うことができる。つまり、透過性を有するシートなどで光学式検出部の表面を覆ったとしても指示信号が出力されるので、光学式検出部の表面を保護した状態であっても操作することが可能となる。また、操作部が光学式検出部であるとタッチしなくとも操作可能であるので、例えば押下式の操作部と比較すれば必要以上に力を付与しなくとも操作を行うことができる。これにより操作性を高めることができる。
【００１５】
そして、各種指示には、再生指示、再生速度変更指示、スキップアップ指示、逆再生速度変更指示、スキップダウン指示が含まれているので、これらの操作を行う際にも機能の切り替えを行わなくとも直接操作することができる。
さらに、各種指示にグループ送り指示、グループ戻し指示が含まれていると、これらの操作に対しても機能の切り替えを行わなくとも直接操作することができる。
そして、再生速度変更指示やグループ送りを含むスキップの大きさが、設定部の外側に向かって早く設定されているため、直感的な操作が可能であり、例えば表示部を視認しなくても設定部の操作が可能となる。
【発明を実施するための最良の形態】
【００１６】
［第１の実施の形態］
以下、本発明の第１の実施の形態について図を参照して説明する。図１は、本発明の再生装置としての携帯型音声再生装置の概略構成を表す正面図である。この図１に示すように、携帯型音声再生装置１には、筐体２と、筐体２の上部に配置されて各種情報を表示する表示部３０と、筐体２の下部に配置されて各種操作が入力される操作部３とが設けられている。
【００１７】
図２は操作部３の概略構成を表す説明図である。操作部３はその表面が覆われることにより指示信号を出力する光学式検出部である。図１及び図２に示すように、操作部３は、例えば幅方向に沿って、複数の指示にそれぞれ対応するように複数の範囲が設定されていている。なお、操作部３は上下方向に沿って形成されていてもよい。各範囲を設定部４０とすると、各設定部４０には表面上にレンズ３１が配置されている。そして、各レンズ３１の内部には、発光素子３２及び受光素子３３が対になって配置されていて、例えば指などが各レンズ３１上を覆った際に、発光素子３２からの光が指に反射して受光素子３３に入射すると受光素子３３が信号を出力するようになっている。受光素子３３から出力された信号は、受光ドライバ３４（図３参照）を介して制御部１０（後述）に出力されることになる。
【００１８】
なお、以下の説明において、各設定部４０を左から順に左端設定部４１、左中央設定部４２、中央設定部４３、右中央設定部４４、右端設定部４５と称す。
【００１９】
図３は、携帯型音声再生装置１の主制御構成を表すブロック図である。この図３に示すように携帯型音声再生装置１には各駆動部を制御する制御部１０が設けられており、当該制御部１０には、本発明の再生データとしての音声データを記憶する例えばＨＤＤ等の記憶部２０と、音声データの各種情報を表示する例えばＬＣＤ等の表示部３０と、操作部３とが電気的に接続されている。
【００２０】
記憶部２０には、多数の音声データが、例えばアーティストやアルバム、ジャンルなど同じ条件毎にグループ化されて記憶されている。また、記憶部２０には、音声データとともに、当該音声データの付帯情報（例えば、アーティスト名、アルバム名、ジャンル名、曲名、記録日時等）が関連付けられて記憶されている。
【００２１】
制御部１０には、割り込みコントローラ１１と、通信部１２と、音声処理部１３と、Ｄ／Ａ変換器１４と、Ａ／Ｄ変換器１５と、ＲＯＭ１６と、ＲＡＭ１７と、ＣＰＵ１８とが備えられている。
【００２２】
割り込みコントローラ１１は、操作部３の受光ドライバ３４とＣＰＵ１８とに電気的に接続されていて、操作部３から指示信号が出力されると当該指示信号を割り込ませてＣＰＵ１８に出力する。
【００２３】
通信部１２は、例えばＵＳＢ端子であり、ＣＰＵ１８及び記憶部２０と電気的に接続されている。そして通信部１２は、音声データを管理するＰＣ等の外部機器にケーブルを介して接続されることで、当該外部機器と通信し、ＣＰＵ１８及び記憶部２０に通信で得た信号を出力するようになっている。
【００２４】
音声処理部１３は、ＣＰＵ１８の制御に基づいて音声データをデジタル信号で再生し、Ｄ／Ａ変換器１４に出力する。
Ｄ／Ａ変換器１４は、音声処理部１３により再生された音声データをアナログ信号に変替し、出力端子１９を介して出力することで、出力端子１９に接続された例えばスピーカやヘッドホンなどの音声出力機器（図示省略）から音声データを出力させる。
【００２５】
Ａ／Ｄ変換器１５には、ＣＰＵ１８が電気的に接続されているとともに、例えばＣＤプレイヤーやＭＤプレイヤー、マイクなどの外部の音声再生装置及びリモコンが入力端子２１を介して接続されている。Ａ／Ｄ変換器１５は、音声再生装置から入力されたアナログ音声信号や、リモコンから入力されたアナログ指示信号をデジタル信号に変替して、ＣＰＵ１８に出力する。
【００２６】
ＣＰＵ１８は、ＲＯＭ１６中の制御プログラムや制御データをＲＡＭ１７に展開し実行することにより各駆動部を制御する。制御プログラムには、例えば操作部３からの信号に基づいて、音声データの再生状態を切り替える再生状態切替プログラムが含まれる。
【００２７】
以下、再生状態切替プログラムについて説明する。
まず、操作部３の各設定部４０のそれぞれと、各種指示のそれぞれとは対応付けられている。再生状態を切り替える各種指示が、例えば再生指示、早送り指示、スキップアップ指示、早戻し指示、スキップダウン指示である場合には、再生指示と中央設定部４３とが、早送り指示と右中央設定部４４とが、スキップアップ指示と右端設定部４５とが、早戻し指示と左中央設定部４２とが、スキップダウン指示と左端設定部４１とがそれぞれ対応付けられている。
【００２８】
ここで、再生指示とは音声データを通常の再生速度で再生させるための指示である。早送り指示とは、再生速度よりも速い速度で音声データを再生させるための指示である。つまり、早送り指示は本発明に係る再生速度変更指示のことである。スキップアップ指示とは、次の再生データにスキップするように再生中の音声データから次の音声データに切り替えて再生させるための指示である。早戻し指示とは再生速度よりも速い速度で音声データを逆再生させるための指示である。つまり、早戻し指示は本発明に係る逆再生速度変更指示のことである。スキップダウン指示とは前の再生データにスキップするように再生中の音声データから前回の音声データに切り替えて再生させるための指示である。
【００２９】
そして、ＣＰＵ１８は再生状態切替プログラムを実行することにより、操作部３の各設定部４０から入力された各種指示信号に基づいて、当該設定部４０に対応する指示で、音声データを記憶部２０から読み出しながら、音声処理部１３を制御して音声データの再生状態を切り替えるようになっている。
なお、本実施形態では、音声データの再生中に再度中央設定部４３から指示信号がＣＰＵ１８に出力された際にはその再生を停止するように再生状態切替プログラムは構築されている。
【００３０】
次に、本実施形態の携帯型音声再生装置１で実行される再生方法について図４のフローチャートを参照にして説明する。
【００３１】
再生状態切替プログラムが実行されると、ステップＳ１ではＣＰＵ１８は操作部３の中央設定部４３からの指示信号（再生指示）の有無を判定して、当該指示信号が無い場合にはそのままの状態で待機し、有る場合にはステップＳ２に移行する。
【００３２】
ステップＳ２ではＣＰＵ１８は、記憶部２０から音声データを読み出し、音声処理部１３を制御することで、音声データを再生させて、ステップＳ３に移行する。
【００３３】
ステップＳ３ではＣＰＵ１８は、再生中に中央設定部４３からの指示信号の有無を判定して、当該指示信号が有る場合にはステップＳ４に移行して、無い場合にはステップＳ５に移行する。
【００３４】
ステップＳ４ではＣＰＵ１８は、音声処理部１３を制御して音声データの再生を停止させ、その後、再生状態切替プログラムを終了させる。
【００３５】
ステップＳ５ではＣＰＵ１８は、操作部３の右中央設定部４４から指示信号（早送り指示）の有無を判定して、当該指示信号が有る場合にはステップＳ６に移行し、無い場合にはステップＳ７に移行する。
【００３６】
ステップＳ６ではＣＰＵ１８は、音声データが早送りで再生されるように音声処理部１３を制御して、ステップＳ９に移行する。
【００３７】
ステップＳ７ではＣＰＵ１８は、操作部３の左中央設定部４２から指示信号（早戻し指示）の有無を判定して、当該指示信号が有る場合にはステップＳ８に移行し、無い場合にはステップＳ１１に移行する。
【００３８】
ステップＳ８ではＣＰＵ１８は、音声データが早戻しで再生されるように音声処理部１３を制御して、ステップＳ９に移行する。
【００３９】
ステップＳ９ではＣＰＵ１８は、操作部３の中央設定部４３からの指示信号（再生指示）の有無を判定して、当該指示信号が無い場合には早送り若しくは早戻しを継続させたままで待機し、有る場合にはステップＳ１０に移行する。
【００４０】
ステップＳ１０ではＣＰＵ１８は、音声処理部１３を制御して各処理（早送り若しくは早戻し）を停止させてから、ステップＳ２に移行する。
【００４１】
ステップＳ１１ではＣＰＵ１８は、操作部３の右端設定部４５から指示信号（スキップアップ指示）の有無を判定して、当該指示信号が有る場合にはステップＳ１２に移行し、無い場合にはステップＳ１３に移行する。
【００４２】
ステップＳ１２ではＣＰＵ１８は、次曲の音声データを記憶部２０から読み出し、次曲の音声データが再生されるように音声処理部１３を制御して、ステップＳ３に移行する。
【００４３】
ステップＳ１３ではＣＰＵ１８は、操作部３の左端設定部４１から指示信号（スキップダウン指示）の有無を判定して、当該指示信号が有る場合にはステップＳ１４に移行し、無い場合にはステップＳ３に移行する。
【００４４】
ステップＳ１４ではＣＰＵ１８は、前回の音声データを記憶部２０から読み出し、前回の音声データが再生されるように音声処理部１３を制御して、ステップＳ３に移行する。
【００４５】
なお、ステップＳ２、ステップＳ１２及びステップＳ１４においては、ＣＰＵ１８は、再生中の音声データの付帯情報を基にして表示部３０を制御することで、表示部３０に再生中の音声データの各種情報を表示させている。
【００４６】
以上のように、第１の実施の形態によれば、操作部３が、複数の指示にそれぞれ対応するように複数の範囲が設定されていて、各設定部４０が覆われると、当該設定部４０に対応付けられた指示に基づく指示信号を制御部１０に出力するので、各設定部４０を覆うことで各指示を直接出力することができる。これにより、機能の切り替えを行わなくとも１つの操作部３で複数の操作を行うことが可能となって、操作性を高めることができる。
そして、各種指示には、再生指示、早送り指示、スキップアップ指示、早戻し指示、スキップダウン指示が含まれているので、これらの操作を行う際にも機能の切り替えを行わなくとも直接操作することができる。
そして、スキップアップやスキップダウンは、早送り、早戻しよりも飛び量が大きいが、スキップアップ指示及びスキップダウン指示は、早送り指示や早戻し指示よりも外側で操作されるので、直感的な操作が可能となり操作性をさらに高めることができる。
【００４７】
また、操作部３が光学式検出部であるので、その表面を覆ったとしても操作を行うことができる。つまり、透過性を有するシートなどで光学式検出部の表面を覆っても指示信号が出力されるので、光学式検出部の表面を保護した状態で操作することが可能となる。また、操作部３が光学式検出部であるとタッチしなくとも操作可能であるので、例えば押下式の操作部と比較すれば必要以上に力を付与しなくとも操作を行うことができる。これにより操作性を高めることができる。
【００４８】
［第２の実施の形態］
第１の実施の形態では、操作部３の各設定部４０を覆ったか否かで再生データの再生状態を切り替える場合を例示して説明したが、この第２の実施の形態では、覆った時間により異なる再生状態に切り替わる場合を例示して説明する。なお、以下の説明において第１の実施の形態と同一部分においては同一符号を付してその説明を省略する。
【００４９】
この第２の実施の形態の携帯型音声再生装置１では、操作部３の各設定部４０が覆われた時間により異なる指示が対応付けられている。以下、所定時間以上覆われた場合を「長タッチ」、所定時間未満覆われた場合を「短タッチ」と称す。短タッチである場合には、再生指示と中央設定部４３とが、右中央設定部４４とスキップアップ指示とが、右端設定部４５とグループ送り指示とが、左中央設定部４２とスキップダウン指示とが、左端設定部４１とグループ戻し指示とが対応付けられている。一方、長タッチである場合には、早送り指示と右中央設定部４４と右端設定部４５とが、早戻し指示と左端設定部４１と左中央設定部４２とが対応付けられている。
【００５０】
ここで、グループ送り指示とは音声データをグループ毎に送る指示であり、グループ戻し指示とは再生データをクループ毎に戻す指示のことである。音声データのグループ化には各音声データの付帯情報が用いられることになる。例えば、付帯情報としてのアルバム名を条件とした場合には同一アルバムの音声データがグループ化され、付帯情報としてのアーティスト名を条件とした場合には同一アーティストの音声データがグループ化され、付帯情報としてのジャンル名を条件とした場合には同一ジャンルの音声データがグループ化されることになる。なお、以下の説明においては同一アルバムの音声データをグループ化した場合について説明するが、これに限定されるものではなく、同一アーティストや同一ジャンルなどでグループ化した場合においても適用可能である。
【００５１】
次に、本実施形態の携帯型音声再生装置１で実行される再生方法について図５のフローチャートを参照にして説明する。
【００５２】
再生状態切替プログラムが実行されると、ステップＳ１０１ではＣＰＵ１８は操作部３の中央設定部４３からの短タッチによる指示信号（再生指示）の有無を判定して、当該指示信号が無い場合にはそのままの状態で待機し、有る場合にはステップＳ１０２に移行する。
【００５３】
ステップＳ１０２ではＣＰＵ１８は、記憶部２０から音声データを読み出し、音声処理部１３を制御することで、音声データを再生させて、ステップＳ１０３に移行する。
【００５４】
ステップＳ１０３ではＣＰＵ１８は、再生中に中央設定部４３からの短タッチによる指示信号の有無を判定して、当該指示信号が有る場合にはステップＳ１０４に移行して、無い場合にはステップＳ１０５に移行する。
【００５５】
ステップＳ１０４ではＣＰＵ１８は、音声処理部１３を制御して音声データの再生を停止させ、その後、再生状態切替プログラムを終了させる。
【００５６】
ステップＳ１０５ではＣＰＵ１８は、操作部３の右中央設定部４４から短タッチによる指示信号（スキップアップ指示）の有無を判定して、当該指示信号が有る場合にはステップＳ１０６に移行し、無い場合にはステップＳ１０７に移行する。
【００５７】
ステップＳ１０６ではＣＰＵ１８は、次曲の音声データを記憶部２０から読み出し、次曲の音声データが再生されるように音声処理部１３を制御して、ステップＳ１０３に移行する。
【００５８】
ステップＳ１０７ではＣＰＵ１８は、操作部３の左中央設定部４２から指示信号（スキップダウン指示）の有無を判定して、当該指示信号が有る場合にはステップＳ１０８に移行し、無い場合にはステップＳ１０９に移行する。
【００５９】
ステップＳ１０８ではＣＰＵ１８は、前回の音声データを記憶部２０から読み出し、前回の音声データが再生されるように音声処理部１３を制御して、ステップＳ１０３に移行する。
【００６０】
ステップＳ１０９ではＣＰＵ１８は、操作部３の右端設定部４５から短タッチによる指示信号（グループ送り指示）の有無を判定して、当該指示信号が有る場合にはステップＳ１１０に移行し、無い場合にはステップＳ１１１に移行する。なお、本実施形態ではステップＳ１０９でのグループ送り指示を、アルバム毎に音声データをまとめて送るアルバムアップ指示としている。
【００６１】
ステップＳ１１０ではＣＰＵ１８は、次アルバムの音声データを記憶部２０から読み出し、次アルバムの先頭曲の音声データが再生されるように音声処理部１３を制御して、ステップＳ１０３に移行する。
【００６２】
ステップＳ１１１ではＣＰＵ１８は、操作部３の左端設定部４１から短タッチによる指示信号（グループ戻し指示）の有無を判定して、当該指示信号が有る場合にはステップＳ１１２に移行し、無い場合にはステップＳ１１３に移行する。なお、本実施形態ではステップＳ１１１でのグループ戻し指示を、アルバム毎に音声データをまとめて戻すアルバムダウン指示としている。
【００６３】
ステップＳ１１２ではＣＰＵ１８は、前回アルバムの音声データを記憶部２０から読み出し、前回アルバムの先頭曲の音声データが再生されるように音声処理部１３を制御して、ステップＳ１０３に移行する。
【００６４】
ステップＳ１１３ではＣＰＵ１８は、操作部３の右中央設定部４４又は右端設定部４５から長タッチによる指示信号（早送り指示）の有無を判定して、当該指示信号が有る場合にはステップＳ１１４に移行し、無い場合にはステップＳ１１５に移行する。
【００６５】
ステップＳ１１４ではＣＰＵ１８は、音声データが早送りで再生されるように音声処理部１３を制御して、ステップＳ１１７に移行する。
【００６６】
ステップＳ１１５ではＣＰＵ１８は、操作部３の左端設定部４１又は左中央設定部４２から長タッチによる指示信号（早戻し指示）の有無を判定して、当該指示信号が有る場合にはステップＳ１１６に移行し、無い場合にはステップＳ１０３に移行する。
【００６７】
ステップＳ１１６ではＣＰＵ１８は、音声データが早戻しで再生されるように音声処理部１３を制御して、ステップＳ１１７に移行する。
【００６８】
ステップＳ１１７ではＣＰＵ１８は、操作部３の中央設定部４３からの短タッチによる指示信号（再生指示）の有無を判定して、当該指示信号が無い場合には早送り若しくは早戻しを継続させたままで待機し、有る場合にはステップＳ１１８に移行する。
【００６９】
ステップＳ１１８ではＣＰＵ１８は、音声処理部１３を制御して各処理（早送り若しくは早戻し）を停止させてから、ステップＳ１０２に移行する。
【００７０】
なお、ステップＳ１０２、ステップＳ１０６、ステップＳ１０８、ステップＳ１１０及びステップＳ１１２においては、ＣＰＵ１８は、再生中の音声データの付帯情報を基にして表示部３０を制御することで、表示部３０に再生中の音声データの各種情報を表示させている。
【００７１】
以上のように、第２の実施の形態によれば、操作部３の各設定部４０が覆われた時間に基づいて異なる再生状態に切り替えられているので、より多様な操作が行えるようになる。また、アルバム送り、アルバム戻しは、スキップアップやスキップダウンよりも飛び量が大きいが、アルバム送り指示及びアルバム戻し指示は、スキップアップ指示やスキップダウン指示よりも外側で操作されるので、直感的な操作が可能となり操作性をさらに高めることができる。
【００７２】
［第３の実施の形態］
第１の実施の形態では、再生速度変更指示を早送り指示、逆再生速度変更指示を早戻し指示とすることで、再生及び逆再生ともに一段階の速度変更が可能な構成を例示して説明しているが、この第３の実施の形態では、再生及び逆再生ともに複数段階の速度変更が可能な構成を例示して説明する。なお、以下の説明において、第１の実施の形態と同一部分においては同一符号を付してその説明を省略する。
【００７３】
この第３の実施の形態における操作部では、図６に示すように操作部３の設定部４０の総数を７としている。以下の説明において、各設定部４０を左から順に左最端設定部５１、左端設定部５２、左中央設定部５３、中央設定部５４、右中央設定部５５、右端設定部５６、右最端設定部５７と称す。そして、再生指示と中央設定部５４とが、早送り指示と右中央設定部５５とが、高速送り指示と右端設定部５６とが、スキップアップ指示と右最端設定部５７とが、早戻し指示と左中央設定部５３とが、高速戻し指示と左端設定部５２とが、スキップダウン指示と左最端設定部５１とがそれぞれ対応付けられている。
【００７４】
ここで、高速送り指示とは、早送り指示での再生速度よりも速い再生速度で再生させるための指示である。また、高速戻し指示とは早戻し指示での逆再生速度よりも速い再生速度で逆再生させるための指示である。つまり、高速送り指示は本発明に係る再生速度変更指示であり、高速戻し指示は本発明に係る逆再生速度変更指示である。
【００７５】
次に、本実施形態の携帯型音声再生装置１で実行される再生方法について図７のフローチャートを参照にして説明する。
【００７６】
再生状態切替プログラムが実行されると、ステップＳ２０１ではＣＰＵ１８は操作部３の中央設定部５４からの指示信号（再生指示）の有無を判定して、当該指示信号が無い場合にはそのままの状態で待機し、有る場合にはステップＳ２０２に移行する。
【００７７】
ステップＳ２０２ではＣＰＵ１８は、記憶部２０から音声データを読み出し、音声処理部１３を制御することで、音声データを再生させて、ステップＳ２０３に移行する。
【００７８】
ステップＳ２０３ではＣＰＵ１８は、再生中に中央設定部５４からの指示信号の有無を判定して、当該指示信号が有る場合にはステップＳ２０４に移行して、無い場合にはステップＳ２０５に移行する。
【００７９】
ステップＳ２０４ではＣＰＵ１８は、音声処理部１３を制御して音声データの再生を停止させ、その後、再生状態切替プログラムを終了させる。
【００８０】
ステップＳ２０５ではＣＰＵ１８は、操作部３の右中央設定部５５から指示信号（早送り指示）の有無を判定して、当該指示信号が有る場合にはステップＳ２０６に移行し、無い場合にはステップＳ２０７に移行する。
【００８１】
ステップＳ２０６ではＣＰＵ１８は、音声データが早送りで再生されるように音声処理部１３を制御して、ステップＳ２１３に移行する。
【００８２】
ステップＳ２０７ではＣＰＵ１８は、操作部３の右端設定部５６から指示信号（高速送り指示）の有無を判定して、当該指示信号が有る場合にはステップＳ２０８に移行し、無い場合にはステップＳ２０９に移行する。
【００８３】
ステップＳ２０８ではＣＰＵ１８は、音声データが高速送りで再生されるように音声処理部１３を制御して、ステップＳ２１３に移行する。
【００８４】
ステップＳ２０９ではＣＰＵ１８は、操作部３の左中央設定部５３から指示信号（早戻し指示）の有無を判定して、当該指示信号が有る場合にはステップＳ２１０に移行し、無い場合にはステップＳ２１１に移行する。
【００８５】
ステップＳ２１０ではＣＰＵ１８は、音声データが早戻しで再生されるように音声処理部１３を制御して、ステップＳ２１３に移行する。
【００８６】
ステップＳ２１１ではＣＰＵ１８は、操作部３の左端設定部５２から指示信号（高速戻し指示）の有無を判定して、当該指示信号が有る場合にはステップＳ２１２に移行し、無い場合にはステップＳ２１５に移行する。
【００８７】
ステップＳ２１２ではＣＰＵ１８は、音声データが高速戻しで再生されるように音声処理部１３を制御して、ステップＳ２１３に移行する。
【００８８】
ステップＳ２１３ではＣＰＵ１８は、操作部３の中央設定部５４からの指示信号（再生指示）の有無を判定して、当該指示信号が無い場合には早送り、高速送り、早戻し若しくは高速戻しを継続させたままで待機し、有る場合にはステップＳ２１４に移行する。
【００８９】
ステップＳ２１４ではＣＰＵ１８は、音声処理部１３を制御して各処理（早送り、高速送り、早戻し若しくは高速戻し）を停止させてから、ステップＳ２０２に移行する。
【００９０】
ステップＳ２１５ではＣＰＵ１８は、操作部３の右最端設定部５７から指示信号（スキップアップ指示）の有無を判定して、当該指示信号が有る場合にはステップＳ２１６に移行し、無い場合にはステップＳ２１７に移行する。
【００９１】
ステップＳ２１６ではＣＰＵ１８は、次曲の音声データを記憶部２０から読み出し、次曲の音声データが再生されるように音声処理部１３を制御して、ステップＳ２０３に移行する。
【００９２】
ステップＳ２１７ではＣＰＵ１８は、操作部３の左最端設定部５１から指示信号（スキップダウン指示）の有無を判定して、当該指示信号が有る場合にはステップＳ２１８に移行し、無い場合にはステップＳ２０３に移行する。
【００９３】
ステップＳ２１８ではＣＰＵ１８は、前回の音声データを記憶部２０から読み出し、前回の音声データが再生されるように音声処理部１３を制御して、ステップＳ２０３に移行する。
【００９４】
なお、ステップＳ２０２、ステップＳ２１６及びステップＳ２１８においては、ＣＰＵ１８は、再生中の音声データの付帯情報を基にして表示部３０を制御することで、表示部３０に再生中の音声データの各種情報を表示させている。
【００９５】
以上のように第３の実施の形態によれば、高速送り指示及び高速戻し指示は、早送り指示や早戻し指示よりも外側で操作されるので、直感的な操作が可能となり操作性をさらに高めることができる。
なお、本実施形態では早送り、早戻しともに２段階で速度変更される場合を例示したが、３段階以上であってもよい。この場合においても、操作部３の中央から外に向かって段階的に速度が高速となるように設定されていることが好ましい。
【００９６】
［第４の実施の形態］
第３の実施の形態では、再生速度変更指示を早送り指示と高速送り指示として、逆再生速度変更指示を早戻し指示と高速戻しとすることで、再生及び逆再生ともに通常の再生速度よりも速く速度変更することが可能な構成を例示して説明しているが、この第４の実施の形態では、再生及び逆再生ともに通常の再生速度よりも遅く速度変更することの可能な構成を例示して説明する。なお、以下の説明において、第１の実施の形態と同一部分においては同一符号を付してその説明を省略する。
【００９７】
この第４の実施の形態における操作部３では、再生指示と中央設定部５４とが、スロー再生指示と右中央設定部５５とが、通常再生復帰指示と右端設定部５６とが、早送り指示と右最端設定部５７とが、スロー逆再生指示と左中央設定部５３とが、逆再生指示と左端設定部５２とが、早戻し指示と左最端設定部５１とがそれぞれ対応付けされている。
【００９８】
ここで、逆再生指示とは、通常の再生速度で逆再生させるための指示である。スロー逆再生指示とは、通常の再生速度よりも遅い速度で逆再生させるための指示である。スロー再生指示とは、通常の再生速度よりも遅い速度で再生させるための指示である。通常再生復帰指示とは、通常の再生速度に復帰させて再生させるための指示である。
【００９９】
次に、本実施形態の携帯型音声再生装置１で実行される再生方法について図８のフローチャートを参照にして説明する。
【０１００】
再生状態切替プログラムが実行されると、ステップＳ３０１ではＣＰＵ１８は操作部３の中央設定部５４からの指示信号（再生指示）の有無を判定して、当該指示信号が無い場合にはそのままの状態で待機し、有る場合にはステップＳ３０２に移行する。
【０１０１】
ステップＳ３０２ではＣＰＵ１８は、記憶部２０から音声データを読み出し、音声処理部１３を制御することで、音声データを再生させて、ステップＳ３０３に移行する。
【０１０２】
ステップＳ３０３ではＣＰＵ１８は、再生中に中央設定部５４からの指示信号の有無を判定して、当該指示信号が有る場合にはステップＳ３０４に移行して、無い場合にはステップＳ３０５に移行する。
【０１０３】
ステップＳ３０４ではＣＰＵ１８は、音声処理部１３を制御して音声データの再生を停止させ、その後、再生状態切替プログラムを終了させる。
【０１０４】
ステップＳ３０５ではＣＰＵ１８は、操作部３の右最端設定部５７から指示信号（早送り指示）の有無を判定して、当該指示信号が有る場合にはステップＳ３０６に移行し、無い場合にはステップＳ３０７に移行する。
【０１０５】
ステップＳ３０６ではＣＰＵ１８は、音声データが早送りで再生されるように音声処理部１３を制御して、ステップＳ３０７に移行する。
【０１０６】
ステップＳ３０７ではＣＰＵ１８は、操作部３の右端設定部５６から指示信号（通常再生復帰指示）の有無を判定して、当該指示信号が有る場合にはステップＳ３０８に移行し、無い場合にはステップＳ３０９に移行する。
【０１０７】
ステップＳ３０８ではＣＰＵ１８は、音声データが通常の再生速度で再生されている場合にはそのままの速度で再生を継続させて、通常の再生速度で再生されていない場合には通常の再生速度に復帰させて再生させるように音声処理部１３を制御して、ステップＳ３０９に移行する。
【０１０８】
ステップＳ３０９ではＣＰＵ１８は、操作部３の右中央設定部５５から指示信号（スロー再生指示）の有無を判定して、当該指示信号が有る場合にはステップＳ３１０に移行し、無い場合にはステップＳ３１１に移行する。
【０１０９】
ステップＳ３１０ではＣＰＵ１８は、音声データがスロー再生されるように音声処理部１３を制御して、ステップＳ３１１に移行する。
【０１１０】
ステップＳ３１１ではＣＰＵ１８は、操作部３の左最端設定部５１から指示信号（早戻し指示）の有無を判定して、当該指示信号が有る場合にはステップＳ３１２に移行し、無い場合にはステップＳ３１３に移行する。
【０１１１】
ステップＳ３１２ではＣＰＵ１８は、音声データが早戻しで再生されるように音声処理部１３を制御して、ステップＳ３１３に移行する。
【０１１２】
ステップＳ３１３ではＣＰＵ１８は、操作部３の左端設定部５２から指示信号（逆再生指示）の有無を判定して、当該指示信号が有る場合にはステップＳ３１４に移行し、無い場合にはステップＳ３１５に移行する。
【０１１３】
ステップＳ３１４ではＣＰＵ１８は、音声データが逆再生されるように音声処理部１３を制御して、ステップＳ３１５に移行する。
【０１１４】
ステップＳ３１５ではＣＰＵ１８は、操作部３の左中央設定部５３から指示信号（スロー逆再生指示）の有無を判定して、当該指示信号が有る場合にはステップＳ３１６に移行し、無い場合にはステップＳ３０３に移行する。
【０１１５】
ステップＳ３１６ではＣＰＵ１８は、音声データがスロー逆再生で再生されるように音声処理部１３を制御して、ステップＳ３０３に移行する。
【０１１６】
以上のように第４の実施の形態によれば、再生及び逆再生速度が早まるごとに、それらの指示が外側に配置されているので、直感的な操作が可能となり操作性をさらに高めることができる。
【０１１７】
なお、本発明は上記実施形態に限らず適宜変更可能であるのは勿論である。
例えば、上記実施形態では、再生データとして音声データを例示して説明したが、これ以外にも動画データや、静止画データを再生データとすることも可能である。すなわち、本実施形態では、再生装置として携帯型の音声再生装置を例示して説明しているものの、再生装置はこれに限られるものではなく、これ以外にも例えば動画再生装置や静止画再生装置などそれ専用の再生装置や、動画、音楽、静止画等の少なくとも２つを再生する複合式の再生装置、或いは携帯電話、携帯型ゲーム機やＰＤＡなどのような各種再生機能を有した携帯機器に対しても本発明の構成を適用することが可能である。
【０１１８】
また、上記実施形態では、操作部３の設定部４０が５つや７つである場合を例示したが、分割数はこれに限定されるものではなく、５つよりも少なければ装置全体を小型化でき、７つよりも多ければより操作性を向上させることができる。
さらに、本実施形態では、操作部３が幅方向に沿って直線状に形成された場合を例示して説明したが、その他の形状に形成されていてもよい。例えば図９に示す操作部３Ａは、十字型に形成されていて、設定部４０Ａが９つある場合を例示している。操作部の形状としては、直線状や十字型以外にも、その他の多角形状、円形状、楕円形状などが挙げられる。
【図面の簡単な説明】
【０１１９】
【図１】第１の実施の形態に係る携帯型音声再生装置の概略構成を表す正面図である。
【図２】図１の携帯型音声再生装置に備わる操作部の概略構成を表す説明図である。
【図３】図１の携帯型音声再生装置の主制御構成を表すブロック図である。
【図４】図１の携帯型音声再生装置の動作を表すフローチャートである。
【図５】第２の実施の形態の携帯型音声再生装置の動作を表すフローチャートである。
【図６】第３の実施の形態に係る携帯型音声再生装置の概略構成を表す正面図である。
【図７】第３の実施の形態の携帯型音声再生装置の動作を表すフローチャートである。
【図８】第４の実施の形態の携帯型音声再生装置の動作を表すフローチャートである。
【図９】図１の携帯型音声再生装置に備わる操作部の変形例を表す説明図である。
【符号の説明】
【０１２０】
１  携帯型音声再生装置（再生装置）
２  筐体
３  操作部
１０  制御部
１１  割り込みコントローラ
１２  通信部
１３  音声処理部
１４  Ｄ／Ａ変換器
１５  Ａ／Ｄ変換器
１９  出力端子
２０  記憶部
２１  入力端子
３０  表示部
３１  レンズ
３２  発光素子
３３  受光素子
３４  受光ドライバ
４０  設定部
【図１】
2007080413.tif 000003
【図２】
2007080413.tif 000004
【図３】
2007080413.tif 000005
【図４】
2007080413.tif 000006
【図５】
2007080413.tif 000007
【図６】
2007080413.tif 000008
【図７】
2007080413.tif 000009
【図８】
2007080413.tif 000010
【図９】
2007080413.tif 000011